(57)【要約】【課題】受信状態の変化に応じてより適切なチャネル切替を実現する。【解決手段】放送受信装置１０の動作状態として、複数の受信部２１〜２６の少なくとも一つに指定放送局を選局させ、複数の受信部２１〜２６の別の少なくとも一つに中継局のいずれか一つの候補チャネルを固定サーチさせ、複数の受信部２１〜２６のさらに別の少なくとも一つに中継局の一以上の候補チャネルを巡回サーチさせる第１状態と、第１状態にて指定放送局を選局させる受信部の数よりも多い数の受信部に指定放送局のチャネルを選局させ、残りの少なくとも一つの受信部に一以上の候補チャネルを巡回サーチさせる第２状態と、がある。制御部２０は、第１状態にて選局中のチャネルの受信感度および固定サーチ中のチャネルの受信感度の双方が基準値未満となる場合、第１状態から第２状態に移行させる。【選択図】図１
2019114853.tif 000002
【特許請求の範囲】
【請求項１】
放送信号を受信する複数の受信部と、
前記複数の受信部に選局させるチャネルを制御する制御部と、
選局中のチャネルで受信した放送内容を再生する再生処理部と、を備え、
前記複数の受信部の動作として、
ａ）前記複数の受信部の少なくとも一つにユーザが指定する指定放送局のチャネルを選局させ、前記複数の受信部の別の少なくとも一つに指定放送局に対応する中継局のいずれか一つの候補チャネルを固定サーチさせ、前記複数の受信部のさらに別の少なくとも一つに指定放送局に対応する中継局の一以上の候補チャネルを巡回サーチさせる第１状態と、
ｂ）前記複数の受信部のうちの二つ以上の受信部であって前記第１状態にて指定放送局のチャネルを選局させる受信部の数よりも多い数の受信部に指定放送局のチャネルを選局させ、残りの少なくとも一つの受信部に指定放送局に対応する中継局の一以上の候補チャネルを巡回サーチさせる第２状態と、があり、
前記制御部は、前記第１状態にて選局中のチャネルの受信感度および固定サーチ中のチャネルの受信感度の双方が基準値未満となる場合、前記第１状態から前記第２状態に移行させることを特徴とする放送受信装置。
【請求項２】
前記制御部は、前記第１状態にて選局中のチャネルの受信感度が基準値未満に低下する第１タイミングと、前記第１状態にて固定サーチ中のチャネルの受信感度が基準値未満に低下する第２タイミングとの時間差が所定値以内である場合、前記第１状態から前記第２状態に移行させることを特徴とする請求項１に記載の放送受信装置。
【請求項３】
前記制御部は、前記第１状態にて選局中のチャネルの受信感度が基準値未満に低下する第１タイミングと、前記第１状態にて固定サーチ中のチャネルの受信感度が基準値未満に低下する第２タイミングとの時間差が前記所定値を超える場合、前記第１状態を維持させることを特徴とする請求項２に記載の放送受信装置。
【請求項４】
前記制御部は、前記第２状態にて選局中のチャネルの受信感度が基準値以上に回復した場合、前記第２状態から前記第１状態に移行させることを特徴とする請求項１から３のいずれか一項に記載の放送受信装置。
【請求項５】
前記制御部は、前記第２状態にて選局中の指定放送局のチャネルの受信感度が基準値未満である一方、巡回サーチ中のチャネルの少なくとも一つの受信感度が基準値以上に回復した場合、指定放送局と放送内容が共通する受信感度が基準値以上に回復した中継局のチャネルを選局させることを特徴とする請求項１から４のいずれか一項に記載の放送受信装置。
【請求項６】
前記制御部は、前記第２状態にて選局中の指定放送局のチャネルの受信感度が基準値未満である一方、巡回サーチ中のチャネルの少なくとも一つの受信感度が基準値以上に回復した場合、前記第２状態を維持したまま指定放送局と放送内容が共通する中継局のチャネルを選局させ、前記第２状態にて選局中のチャネルの受信感度が基準値以上に回復した場合、前記第２状態から前記第１状態に移行させることを特徴とする請求項１から４のいずれか一項に記載の放送受信装置。
【請求項７】
複数の受信部の少なくとも一つにユーザが指定する指定放送局のチャネルを選局させ、前記複数の受信部の別の少なくとも一つに指定放送局に対応する中継局のいずれか一つの候補チャネルを固定サーチさせ、前記複数の受信部のさらに別の少なくとも一つに指定放送局に対応する中継局の一以上の候補チャネルを巡回サーチさせる第１状態を実行させるステップと、
前記第１状態にて選局中のチャネルの受信感度および固定サーチ中のチャネルの受信感度の双方が基準値未満となる場合、前記第１状態から、前記複数の受信部のうちの二つ以上の受信部であって前記第１状態にて指定放送局のチャネルを選局させる受信部の数よりも多い数の受信部に指定放送局のチャネルを選局させ、残りの少なくとも一つの受信部に指定放送局に対応する中継局の一以上の候補チャネルを巡回サーチさせる第２状態に移行させるステップと、を備えることを特徴とする放送受信方法。
【請求項８】
複数の受信部の少なくとも一つにユーザが指定する指定放送局のチャネルを選局させ、前記複数の受信部の別の少なくとも一つに指定放送局に対応する中継局のいずれか一つの候補チャネルを固定サーチさせ、前記複数の受信部のさらに別の少なくとも一つに指定放送局に対応する中継局の一以上の候補チャネルを巡回サーチさせる第１状態を実行させる機能と、
前記第１状態にて選局中のチャネルの受信感度および固定サーチ中のチャネルの受信感度の双方が基準値未満となる場合、前記第１状態から、前記複数の受信部のうちの二つ以上の受信部であって前記第１状態にて指定放送局のチャネルを選局させる受信部の数よりも多い数の受信部に指定放送局のチャネルを選局させ、残りの少なくとも一つの受信部に指定放送局に対応する中継局の一以上の候補チャネルを巡回サーチさせる第２状態に移行させる機能と、をコンピュータに実現させることを特徴とするプログラム。
【発明の詳細な説明】
【技術分野】
【０００１】
本発明は、放送受信装置および放送受信方法に関する。
【背景技術】
【０００２】
車載用のテレビでは、搭載される車両の移動とともにテレビ放送信号の受信状態や受信可能な放送局が変化しうる。異なる放送エリア内に入ることで一部チャネルの受信状態が悪化したり、トンネル内に入ることで全チャネルの受信状態が悪化したりする。このような場合にその後に適切なチャネルが自動選局されることが好ましい。例えば、サーチ処理を複数回実行し、複数回のサーチ結果を比較することで最適なチャネルを選択する技術が知られている（例えば、特許文献１参照）。
【先行技術文献】
【特許文献】
【０００３】
【特許文献１】特開２０１４−１１６６９２号公報
【発明の概要】
【発明が解決しようとする課題】
【０００４】
受信状態が悪化した場合に複数回のサーチ結果を取得してから最適なチャネルを選択する場合、複数回のサーチが終了するまでの処理時間が長くなる。より短い時間で最適なチャネルを選択できることが好ましい。
【０００５】
本発明は、上述の事情に鑑みてなされたものであり、受信状態の変化に応じてより適切なチャネル切替を実現する技術を提供することを目的とする。
【課題を解決するための手段】
【０００６】
本発明のある態様の放送受信装置は、放送信号を受信する複数の受信部と、複数の受信部に選局させるチャネルを制御する制御部と、選局中のチャネルで受信した放送内容を再生する再生処理部と、を備える。複数の受信部の動作として、ａ）複数の受信部の少なくとも一つにユーザが指定する指定放送局のチャネルを選局させ、複数の受信部の別の少なくとも一つに指定放送局に対応する中継局のいずれか一つの候補チャネルを固定サーチさせ、複数の受信部のさらに別の少なくとも一つに指定放送局に対応する中継局の一以上の候補チャネルを巡回サーチさせる第１状態と、ｂ）複数の受信部のうちの二つ以上の受信部であって第１状態にて指定放送局のチャネルを選局させる受信部の数よりも多い数の受信部に指定放送局のチャネルを選局させ、残りの少なくとも一つの受信部に指定放送局に対応する中継局の一以上の候補チャネルを巡回サーチさせる第２状態と、がある。制御部は、第１状態にて選局中のチャネルの受信感度および固定サーチ中のチャネルの受信感度の双方が基準値未満となる場合、第１状態から第２状態に移行させる。
【０００７】
本発明の別の態様は、放送受信方法である。この方法は、複数の受信部の少なくとも一つにユーザが指定する指定放送局のチャネルを選局させ、複数の受信部の別の少なくとも一つに指定放送局に対応する中継局のいずれか一つの候補チャネルを固定サーチさせ、複数の受信部のさらに別の少なくとも一つに指定放送局に対応する中継局の一以上の候補チャネルを巡回サーチさせる第１状態を実行させるステップと、第１状態にて選局中のチャネルの受信感度および固定サーチ中のチャネルの受信感度の双方が基準値未満となる場合、第１状態から、複数の受信部のうちの二つ以上の受信部であって第１状態にて指定放送局のチャネルを選局させる受信部の数よりも多い数の受信部に指定放送局のチャネルを選局させ、残りの少なくとも一つの受信部に指定放送局に対応する中継局の一以上の候補チャネルを巡回サーチさせる第２状態に移行させるステップと、を備える。
【０００８】
なお、以上の構成要素の任意の組合せや本発明の構成要素や表現を、方法、装置、システムなどの間で相互に置換したものもまた、本発明の態様として有効である。
【発明の効果】
【０００９】
本発明によれば、受信状態の変化に応じてより適切にチャネルを切り替えできる。
【図面の簡単な説明】
【００１０】
【図１】放送受信装置の機能構成を模式的に示すブロック図である。
【図２】放送受信方法の流れを模式的に示すフローチャートである。
【発明を実施するための形態】
【００１１】
以下、本発明の実施の形態について、図面を参照しつつ説明する。かかる実施の形態に示す具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１２】
図１は、放送受信装置１０の機能構成を模式的に示すブロック図である。図示する各機能ブロックは、ハードウェア的には、コンピュータのＣＰＵやメモリをはじめとする素子や機械装置で実現でき、ソフトウェア的にはコンピュータプログラム等によって実現されるが、ここでは、それらの連携によって実現される機能ブロックとして描いている。したがって、これらの機能ブロックはハードウェア、ソフトウェアの組み合わせによっていろいろなかたちで実現できることは、当業者には理解されるところである。
【００１３】
放送受信装置１０は、デジタルテレビ放送を受信するための装置であり、車両などの移動体に搭載して用いられる車載用のデジタルテレビ受信装置である。放送受信装置１０が受信した放送内容は、表示装置４０およびスピーカ４２を通じて再生される。ユーザは、入力装置４４を通じて視聴しようとする放送局またはチャネルを選択する。選択したチャネルの受信感度が良好であれば、指定したチャネルの放送内容が表示ないし出力される。
【００１４】
放送受信装置１０は、受信回路部１２と、再生処理部１４と、制御部２０と、記憶部３０とを備える。放送受信装置１０は、表示装置４０、スピーカ４２および入力装置４４と接続されている。表示装置４０は、液晶ディスプレイ等であり、車両のセンターコンソールやダッシュボードの位置に取り付けられる。スピーカ４２は、車載スピーカや表示装置４０に隣接して設けられるスピーカなどである。入力装置４４は、例えば、タッチパネル式のセンサであり、表示装置４０の表示領域に設けられる。入力装置４４はタッチ式ではなく、表示装置４０の周辺に配置されるボタン等で構成されてもよい。
【００１５】
受信回路部１２は、第１受信部２１、第２受信部２２、第３受信部２３、第４受信部２４、第５受信部２５、第６受信部２６、第１復調部３１、第２復調部３２および第３復調部３３を有する。複数の受信部２１〜２６のそれぞれには異なるアンテナが接続されており、各アンテナを通じて選局されたチャネルの放送信号を受信する。複数の受信部２１〜２６のそれぞれは、例えば、地上デジタル放送信号を受信するよう構成される。
【００１６】
第１復調部３１は、第１受信部２１および第２受信部２２と接続されており、第１受信部２１および第２受信部２２が受信した放送信号を復調する。第２復調部３２は、第３受信部２３および第４受信部２４と接続されており、第３受信部２３および第４受信部２４が受信した放送信号を復調する。第３復調部３３は、第５受信部２５および第６受信部２６と接続されており、第５受信部２５および第６受信部２６が受信した放送信号を復調する。複数の復調部３１〜３３のそれぞれは、例えば、受信した地上デジタル放送信号からトランスポートストリーム（ＴＳ）信号を生成するよう構成される。
【００１７】
第１復調部３１は、第１受信部２１の受信信号と第２受信部２２の受信信号を合成して復調するよう構成され、いわゆる２ダイバーシティ受信方式で復調信号を生成するよう構成される。同様に、第２復調部３２は、第３受信部２３の受信信号と第４受信部２４の受信信号を合成して復調するよう構成され、第３復調部３３は、第５受信部２５の受信信号と第６受信部２６の受信信号を合成して復調するよう構成される。ダイバーシティ受信方式を用いることで、搭載される車両の移動中の受信性能を向上させることができる。
【００１８】
受信回路部１２は、２ダイバーシティ受信方式で動作する場合、三つの受信系統Ａ，Ｂ，Ｃを有する。例えば、Ａ系統は第１受信部２１、第２受信部２２および第１復調部３１で構成され、Ｂ系統は第３受信部２３、第４受信部２４および第２復調部３２で構成され、Ｃ系統は第５受信部２５、第６受信部２６および第３復調部３３で構成される。本明細書において、受信回路部１２の動作を三つの受信系統Ａ〜Ｃのそれぞれの動作として説明することがある。このとき、各受信系統Ａ〜Ｃと、複数の受信部２１〜２６および複数の復調部３１〜３３との対応関係は、必ずしも固定的である必要はなく、動作状態に応じてその対応関係が動的に変化してもよい。
【００１９】
受信回路部１２は、３以上のダイバーシティ受信が実現できるよう構成されてもよいし、ダイバーシティ受信を用いないように構成されてもよい。ダイバーシティ受信を用いない場合、一つの受信部に対して一つの復調部が設けられるよう構成されてもよい。また、受信信号の感度に応じて、ダイバーシティ受信方式を切り替えるよう構成されてもよく、例えば、受信信号の感度が低い場合に、四つの受信部２１〜２４の受信信号を合成して復調するよう構成されてもよい。
【００２０】
再生処理部１４は、第１復調部３１、第２復調部３２および第３復調部３３のいずれかが生成したＴＳ信号から放送内容を再生する。再生処理部１４は、映像処理部１６と、音声処理部１８とを有する。映像処理部１６は、取得するＴＳ信号から映像データを抽出し、抽出した映像データに基づく映像を表示装置４０に表示させる。音声処理部１８は、取得するＴＳ信号から音声データを抽出し、抽出した音声データに基づく音声をスピーカ４２に出力させる。
【００２１】
再生処理部１４は、ＴＳ信号に含まれる番組情報やデータ放送用情報などを抽出し、抽出した情報を表示装置４０に表示するための表示画面を生成する。再生処理部１４は、入力装置４４を通じたユーザの入力操作を可能にするための操作画面を生成する。例えば、ユーザによるチャネルの選局操作、表示装置４０の輝度調整、スピーカ４２の音量調整を実現するための操作画面を生成する。また、再生処理部１４は、選局中のチャネルが受信できない場合に受信不可などのエラーを通知するための表示画面を生成する。再生処理部１４は、選局中のチャネルが受信不可となった場合、その直前に受信できていた画像を静止画として継続表示させてもよいし、黒色などの単一色の静止画を継続表示させてもよい。
【００２２】
制御部２０は、受信回路部１２および再生処理部１４の動作を制御する。制御部２０は、ユーザが指定する放送局（指定放送局ともいう）のチャネルを受信回路部１２に選局させ、指定放送局のチャネルで受信した放送内容が再生されるようにする。制御部２０は、搭載される車両の移動により放送エリアが切り替わる場合であっても、スムーズな切替が可能となるように、指定放送局に対応する系列局や中継局をあらかじめサーチして特定する。放送エリアの切替時には、受信感度のより高い放送局に自動切替することで、視聴中のチャネルがシームレスに表示されるようにする。
【００２３】
ここで、中継局とは、親放送局の電波を受信して増幅したものを放送する放送局のことをいう。中継局は、親放送局と同じ物理チャネル（周波数帯域）に対して同じ放送内容の電波を出力することもあれば、異なる物理チャネルに対して同じ放送内容の電波を出力することもある。一方、系列局とは主要放送局（キー局）のいずれかと同じネットワーク系列に属する各地方の放送局のことをいう。系列局は、主要放送局と同じ物理チャネルまたは異なる物理チャネルを使用し、放送時間帯に応じて主要放送局と共通する放送内容や系列局ごとに独自の放送内容の電波を出力する。
【００２４】
日本の地上デジタル放送では、１３ｃｈ〜５２ｃｈの物理チャネルが使用される。使用される具体的な物理チャネルの組み合わせは放送地域によって異なるため、特定の放送局の放送内容を受信するためには、放送地域に応じて選局する物理チャネルを適切に選ぶ必要がある。親放送局から送信される放送信号には、自局に対応する中継局の物理チャネルの一覧を示す中継局リスト情報が含まれていることがあり、中継局リストを取得することでサーチすべき中継局の候補チャネルを絞り込むことができる。また、放送信号から復調されるＴＳ信号には放送局を特定するための識別情報（例えばＴＳＩＤ）が含まれており、その識別情報を参照することで放送局を特定できる。親放送局とその中継局は共通のＴＳＩＤが付与されるため、ＴＳＩＤが一致する物理チャネルをサーチすることで、指定放送局に対応する中継局のチャネルをあらかじめ特定できる。なお、系列局の場合には異なるＴＳＩＤが付与される。この場合、各放送局の系列関係を定めるＴＳＩＤのテーブル情報などをあらかじめ保持し、保持するテーブル情報を参照することで指定放送局に対応する系列局のチャネルを特定できる。このようにしてＴＳＩＤを比較することで、放送内容が共通する中継局または系列局のチャネルを特定できる。
【００２５】
制御部２０は、受信回路部１２を第１状態または第２状態の動作状態で動作させる。第１状態では、複数の受信部２１〜２６の少なくとも一つにユーザが指定する指定放送局のチャネルを選局させ、複数の受信部２１〜２６の別の少なくとも一つに指定放送局に対応する中継局のいずれか一つの候補チャネルを固定サーチさせ、複数の受信部２１〜２６のさらに別の少なくとも一つに指定放送局に対応する中継局の一以上の候補チャネルを巡回サーチさせる。例えば、Ａ系統に指定放送局を選局させ、Ｂ系統に中継局のいずれか一つの候補チャネルを継続的にサーチ（固定サーチ）させ、Ｃ系統に中継局の一以上の候補チャネルを巡回サーチさせる。
【００２６】
一方、第２状態では、複数の受信部２１〜２６のうち、第１状態にて指定放送局のチャネルを選局させる受信部の数よりも多い数の受信部に指定放送局のチャネルを選局させ、残りの少なくとも一つの受信部に指定放送局に対応する中継局の一以上の候補チャネルを巡回サーチさせる。例えば、Ａ系統とＢ系統の双方に指定放送局のチャネルを選局させ、Ｃ系統に指定放送局に対応する中継局の一以上の候補チャネルを巡回サーチさせる。
【００２７】
制御部２０は、復調されたＴＳ信号から指定放送局に対応する中継局または系列局のチャネルを特定する。制御部２０は、例えば、Ａ系統にて復調されるＴＳ信号から指定放送局の中継局リストを取得し、中継局リストに含まれる物理チャネルを中継局の候補チャネルとする。制御部２０は、中継局リストに含まれる物理チャネルをＣ系統に順番にサーチさせ、受信可能な中継局のチャネルを特定する。制御部２０は、各放送局の系列関係が定められたテーブル情報をあらかじめ保持し、保持するテーブル情報を参照して対応する中継局または系列局の候補チャネルを特定してもよい。
【００２８】
制御部２０は、受信回路部１２から受信可能なチャネルの受信感度に関する情報を取得する。制御部２０は、例えば、Ａ系統にて受信する指定放送局のチャネルの受信感度と、Ｂ系統またはＣ系統にて受信する中継局または系列局の候補チャネルの受信感度を取得する。制御部２０は、取得した受信感度が所定の基準値以上であれば、受信可能な状態であると判定し、取得した受信感度が所定の基準値未満であれば、受信不能な状態であると判定する。放送信号の受信感度は、例えば、放送信号の搬送波対雑音比（Ｃ／Ｎ比）の値に基づいて判定される。
【００２９】
制御部２０は、中継局や系列局の候補チャネルのサーチ結果を記憶部３０に保持させる。制御部２０は、中継局リストに含まれる物理チャネルを「候補チャネル」として記憶部３０に登録する。制御部２０は、候補チャネルのうちサーチにより受信感度が基準値以上と確認されたチャネルを「受信可能チャネル」として記憶部３０に登録する。制御部２０は、受信可能チャネルのうち放送内容が指定放送局と共通するチャネルを「代替可能チャネル」として記憶部３０に登録する。代替可能チャネルに該当するか否かは、視聴中のチャネルのＴＳＩＤと、サーチしたチャネルのＴＳＩＤとが一致または対応するか否かにより判定される。記憶部３０は、サーチ結果の一つとして各チャネルの受信感度の値（例えばＣ／Ｎ比値）を併せて保持してもよい。
【００３０】
制御部２０は、指定放送局が受信可能であり、記憶部３０に「代替可能チャネル」が登録されていれば、受信回路部１２を第１状態で動作させる。具体的には、Ａ系統に視聴中チャネルを選局させ、Ｂ系統に代替可能チャネルを固定サーチさせ、Ｃ系統に候補チャネルを巡回サーチさせる。これにより、第１状態において、視聴中チャネルと受信可能チャネルの双方の受信感度を同時に計測できるようにする。制御部２０は、さらに、同時計測される複数のチャネルの受信感度に基づいて、搭載する車両がトンネルや地下施設などの放送電波が届かない場所に入って「受信不可状態」になったか否かを判断する。
【００３１】
制御部２０は、Ａ系統およびＢ系統にて同時計測される二つのチャネルの受信感度が同じタイミングで基準値未満となる場合、上述の「受信不可状態」になったものと判断する。複数のチャネルの電波強度が同様に低下する場合には、車両が電波を受信できない場所に移動した可能性が高いと考えられるためである。制御部２０は、Ａ系統のチャネルの受信感度が基準値未満となる第１タイミングと、Ｂ系統のチャネルの受信感度が基準値未満となる第２タイミングとが所定の関係を満たす場合に「受信不可状態」になったと判断してもよい。例えば、第１タイミングと第２タイミングの時間差が所定値（例えば、０．１秒、０．５秒、１秒、５秒）以内である場合に「受信不可状態」になったと判断してもよい。一方、第１タイミングと第２タイミングの時間差が所定値を超える場合、「受信不可状態」ではないと判断し、直前の動作状態を維持する。
【００３２】
制御部２０は、第１状態にて「受信不可状態」になったと判断する場合、受信回路部１２の動作を第１状態から第２状態に移行させる。具体的には、Ｂ系統による受信可能チャネルの固定サーチを中止させ、Ａ系統およびＢ系統の双方に視聴中チャネルを選局させる。受信不可状態の場合、チャネルを自動切替したとしても切替後のチャネルも視聴不能であるため、チャネル切替のメリットがない。また、トンネルや地下施設から抜け出して視聴可能な状態に回復した場合、視聴不能になる直前の状況と同様、つまり、指定放送局の受信感度が良好である可能性が高いと考えられる。この場合に、視聴中チャネルから中継局または系列局のチャネルに自動切替してしまうと、受信可能になった後に指定放送局を再選局しなければならず、視聴チャネルが再生される状態に復帰するまでの時間が長くなってしまう。そこで、本実施の形態では、受信不可状態である場合、チャネルの自動切替をせずに元のチャネルを継続して選局しておく。これにより、受信可能になったタイミングから選局中のチャネルの放送内容を再生できる。さらに、Ａ系統とＢ系統の双方に視聴中チャネルを選局させて受信感度を高めることで、受信状態が回復してから視聴可能な状態に復帰するまでの時間を短縮化できる。なお、第２状態においても、Ｃ系統は継続して中継局の候補チャネルを巡回サーチしている。
【００３３】
制御部２０は、第２状態において視聴中チャネルの受信状態が基準値以上となって受信可能となった場合、「受信不可状態」を解除し、第２状態から第１状態に移行させ、視聴中チャネルの再生を再開させる。一方、第２状態において視聴中チャネルが受信不可のまま、Ｃ系統にて巡回サーチしている代替可能チャネルの受信感度が基準値以上となった場合、「受信不可状態」を解除し、指定放送局を代替可能チャネルに変更し、Ａ系統およびＢ系統の双方に代替可能チャネルを選局させる。これにより、トンネルなどを抜けて異なる放送地域に入ったと考えられる場合に放送内容が共通する代替可能チャネルに自動切替し、同じ放送内容の再生を再開できる。
【００３４】
図２は、放送受信方法の流れを模式的に示すフローチャートである。放送受信装置１０は、ユーザから指定された放送局をＡ系統およびＢ系統の双方で選局し（Ｓ１０）、受信した放送内容を再生するとともに中継局リストを取得する（Ｓ１２）。指定放送局の受信感度が基準値以上であって受信可能であり（Ｓ１４のＹ）、代替可能チャネルが登録されていれば（Ｓ１６のＹ）、Ａ系統に指定放送局を選局させ、Ｂ系統にて代替可能チャネルを固定サーチさせる（Ｓ１８）。代替可能チャネルが登録されていなければ（Ｓ１６のＮ）、Ｓ１８をスキップし、Ａ系統およびＢ系統での指定放送局の選局を継続させる。つづいて、Ｃ系統にて中継局の候補チャネルを巡回サーチさせ（Ｓ２０）、サーチ対象の受信感度が基準値以上であって受信可能であり（Ｓ２２のＹ）、サーチ対象の放送内容が視聴中チャネルと共通していれば（Ｓ２４のＹ）、そのチャネルを代替可能チャネルとして記憶部３０に登録する（Ｓ２６）。サーチ対象の受信感度が基準値未満であって受信不可であれば（Ｓ２２のＮ）、Ｓ２４〜Ｓ２６の処理をスキップする。サーチ対象の放送内容が視聴中チャネルと共通していなければ（Ｓ２４のＮ）、Ｓ２６の処理をスキップする。視聴中チャネルが受信可能な状況が継続すれば（Ｓ１４のＹ）、中継局リストに含まれる一以上の候補チャネルを対象としてＳ１６〜Ｓ２６の処理を繰り返し実行する。これにより、視聴中チャネルに対応する「代替可能チャネル」の情報が最新に保たれる。
【００３５】
Ａ系統での指定放送局の受信感度が基準値未満に低下して受信不可となり（Ｓ１４のＮ）、Ｂ系統での代替可能チャネルの受信感度が基準値未満に低下して受信不可となる場合（Ｓ３０のＮ）、Ａ系統にて受信感度が基準値未満となった第１タイミングと、Ｂ系統にて受信感度が基準値未満となった第２タイミングとを比較する（Ｓ３２）。第１タイミングと第２タイミングの時間差が所定値以内であれば（Ｓ３２のＹ）、受信不可状態になったと判断し、Ａ系統およびＢ系統の双方に指定放送局を選局させて第２状態に移行させ（Ｓ３４）、Ｃ系統にて中継局の候補チャネルを巡回サーチさせる（Ｓ３６）。Ａ系統およびＢ系統にて指定放送局が受信可能となれば（Ｓ３８のＹ）、受信不可状態を解除してＳ１４〜Ｓ２６の処理を実行する。Ａ系統およびＢ系統にて指定放送局が受信不可であり（Ｓ３８のＮ）、Ｃ系統にて代替可能チャネルが受信不可であれば（Ｓ４０のＮ）、Ｓ３６〜Ｓ４０の処理を繰り返す。一方、Ｃ系統にて代替可能チャネルが受信可能であれば（Ｓ４０のＹ）、指定放送局を代替可能チャネルに変更し（Ｓ４２）、フローの最初に戻ってＡ系統およびＢ系統にて代替可能チャネルを指定放送局として選局する（Ｓ１０）。Ｓ３０において、Ｂ系統にて代替可能チャネルが受信可能である場合（Ｓ３０のＹ）、指定放送局を代替可能チャネルに変更し（Ｓ４２）、フローの最初に戻ってＡ系統およびＢ系統にて代替可能チャネルを指定放送局として選局する（Ｓ１０）。Ｓ３２において、第１タイミングと第２タイミングの時間差が所定値を超える場合（Ｓ３２のＮ）、Ｓ１４に戻る。
【００３６】
本実施の形態によれば、Ａ系統およびＢ系統のそれぞれにて受信する異なるチャネルの受信感度が同時に低下する場合に受信不可状態と判断することにより、トンネルや地下施設などに入って全ての放送電波が受信できない状態となったことをより精度良く判定できる。また、受信不可状態となった場合、Ａ系統とＢ系統の双方に同じチャネルを選局させる第２状態に移行することで、トンネルや地下施設から抜け出ようとするときの電波の受信感度を高め、視聴中チャネルの放送内容を再生をより早期に再開できる。これにより、受信状態の変化によって放送内容が途切れてしまう時間を極力短くすることができ、ユーザの利便性を高めることができる。
【００３７】
以上、本発明を上述の実施の形態を参照して説明したが、本発明は上述の実施の形態に限定されるものではなく、各表示例に示す構成を適宜組み合わせたものや置換したものについても本発明に含まれるものである。
【００３８】
上述の実施の形態では、第１状態のＢ系統に代替可能チャネルを継続して選局させる場合を示した。変形例においては、第１状態のＢ系統に代替可能チャネル以外の受信可能チャネルを継続して選局させてもよい。この場合であっても、受信可能な複数のチャネルの受信感度が同時に低下したことを検知して受信不可状態となったか否かを判断することができる。
【００３９】
上述の実施の形態では、６個の受信部を用いて三つの受信系統Ａ〜Ｃを実現させる場合について示した。変形例においては、５個以下または７個以上の受信部を用いて三つの受信系統Ａ〜Ｃを実現させてもよい。例えば、４個の受信部を用いるとともに、Ａ系統に二つの受信部を割り当て、Ｂ系統およびＣ系統のそれぞれに一つの受信部を割り当ててもよい。その他、Ａ系統およびＢ系統に一つの受信部を割り当て、Ｃ系統に二つの受信部を割り当ててもよい。
【００４０】
上述の実施の形態では、地上デジタル放送を受信するための放送受信装置１０について説明した。変形例においては、地上デジタル放送以外の放送を受信するための放送受信装置に上述の内容を適用してもよい。例えば、ラジオ放送を受信するための放送受信装置において、上述の中継局または系列局への自動切替や、段階的なサーチ処理方法を適用してもよい。
【符号の説明】
【００４１】
１０…放送受信装置、１２…受信回路部、１４…再生処理部、１６…映像処理部、１８…音声処理部、２０…制御部、２１…第１受信部、２２…第２受信部、２３…第３受信部、２４…第４受信部、２５…第５受信部、２６…第６受信部、３０…記憶部、３１…第１復調部、３２…第２復調部、３３…第３復調部、４０…表示装置、４２…スピーカ、４４…入力装置。
【図１】
2019114853.tif 000003
【図２】
2019114853.tif 000004